(57)【要約】【課題】ＬＥＤアレイを構成する複数のＬＥＤのうちの一部を消灯させる場合でも、コンパクトな装置構成で、スクリーン上の映像の輝度ムラを低減することが可能な投写型表示装置を提供することを目的とする。【解決手段】投写型表示装置１は、照明光学系２と、ＬＥＤアレイ４０Ｒ，４０Ｇ，４０Ｂの位置を各々の２次元配置の取付け面の面内で調整する位置調整機構９０Ｒ，９０Ｇ，９０Ｂと、光源制御部３０と、インテグレータ素子１０と、ＤＭＤ１３とを備え、光源制御部３０は、ＬＥＤアレイ４０Ｒ，４０Ｇ，４０Ｂの３個のＬＥＤを選択して点灯制御するときに、ＬＥＤアレイ４０Ｒ，４０Ｇ，４０Ｂの当該３個のＬＥＤによって形成される光源像４１Ｒ，４１Ｇ，４１Ｂの形状が、インテグレータ素子１０の入射面中心で一致するように、各ＬＥＤアレイ４０Ｒ，４０Ｇ，４０Ｂの位置を調整するよう位置調整機構９０Ｒ，９０Ｇ，９０Ｂを制御する。【選択図】図１
2014071246.tif 000002
【特許請求の範囲】
【請求項１】
ｍ個（ｍは２以上の整数）の２次元配置されたＬＥＤからなるＬＥＤアレイを予め定められた各色ごとに備えた光源を有し、前記ＬＥＤアレイから出射される各々の光束を１つの光路の照明光に合成する照明光学系と、
各前記ＬＥＤアレイの位置を各々の２次元配置の取付け面の面内で調整する位置調整機構と、
各前記ＬＥＤアレイの点灯と、前記位置調整機構とを制御する光源制御部と、
前記照明光学系から出射される照明光の照度分布を均一化させるインテグレータ素子と、
前記インテグレータ素子から出射される照明光を映像光に変調する画像表示素子とを備え、
前記光源制御部は、各前記ＬＥＤアレイのｎ個（ｎ＜ｍの整数）のＬＥＤを選択して点灯させるように制御するときに、各前記ＬＥＤアレイの当該ｎ個のＬＥＤによって前記インテグレータ素子の入射面に形成される各々の光源像の形状が、前記インテグレータ素子の入射面中心で一致するように、各前記ＬＥＤアレイの位置を調整するよう前記位置調整機構を制御する、投写型表示装置。
【請求項２】
前記光源制御部は、ＬＥＤの故障検出機能を有し、ＬＥＤの故障を検出した場合に、各前記ＬＥＤアレイにおいて故障していないｎ個のＬＥＤを選択して点灯させるように制御するときに、各前記ＬＥＤアレイの当該ｎ個のＬＥＤによって前記インテグレータ素子の入射面に形成される各々の光源像の形状が、前記インテグレータ素子の入射面中心で一致するように、各前記ＬＥＤアレイの位置を調整するよう前記位置調整機構を制御する、請求項１記載の投写型表示装置。
【発明の詳細な説明】
【技術分野】
【０００１】
本発明は、例えばカラー映像をスクリーンに投影するプロジェクタに適用される投写型表示装置に関し、特にスクリーン上に投影される映像の均一性向上に関するものである。
【背景技術】
【０００２】
従来、光源によって生成した照明光を画像信号に基づいて変調、合成してスクリーンに投影することにより、スクリーン上に映像表示を行う投写型表示装置がある。装置の小型化、低消費電力化および光源の長寿命化の要求の高まりから、従来の放電ランプに代わり光源としてＬＥＤ（Ｌｉｇｈｔ Ｅｍｉｔｔｉｎｇ Ｄｉｏｄｅ：発光ダイオード）が近年広く使われるようになってきている。例えば、赤色、緑色、青色の３原色の光をそれぞれ発する３個のＬＥＤからなる光源からの照明光を、ダイクロイックミラーまたはダイクロイックプリズム等によって合成し、ＤＭＤ（Ｄｉｇｉｔａｌ  Ｍｉｃｒｏｍｉｒｒｏｒ  Ｄｅｖｉｃｅ）等の画像表示素子によって映像光に変調してカラー映像を投写している。
【０００３】
このような投写型表示装置に用いられるＬＥＤとしては、発光部が１個のＬＥＤで構成されたものと、複数のＬＥＤが配列されたＬＥＤアレイで構成されたものがある。ＬＥＤアレイの場合、各ＬＥＤアレイを複数のグループに分け、グループごとに駆動回路が個別に設けられている。
【０００４】
例えば、１個のＬＥＤアレイが６個のＬＥＤで構成されている場合、１グループあたり３個のＬＥＤで構成された２グループそれぞれに駆動回路が設けられているもの、１グループあたり１個のＬＥＤで構成された６グループそれぞれに駆動回路が設けられているものなどがある。ＬＥＤの駆動をグループごとに制御することで６個のうちの３個、もしくは１個のＬＥＤを個別に点灯、消灯させることが可能である。
【０００５】
赤色、緑色、青色の光をそれぞれ発する３個のＬＥＤまたはＬＥＤアレイから出射された照明光は、ダイクロイックミラーまたはダイクロイックプリズムによって３つの異なる光路から１つの光路へと合成され、さらにインテグレータ素子を介してＤＭＤ等の画像表示素子に照射される。インテグレータ素子は、例えば一般によく知られたライトトンネルまたはガラスロッドであり、その内部を光線が反射しながら通過することによって照明光の照度分布の均一化が図られるが、インテグレータ素子に対する照明光の入射位置によっては照度分布に偏りが出るため、インテグレータ素子では十分に照明光の照度分布を均一化できずに輝度ムラが発生していた。
【０００６】
色度ムラを低減するために、複数の光源ユニットについてそれぞれの光軸と垂直な方向に平行移動させるための位置調整機構を設け、各光源ユニットから出射される各色の照明光を、色合成ユニットを構成するクロスダイクロイックミラーの入射角依存性による波長シフトに対して最適な照度分布の位置に調整する装置が提案されている（例えば特許文献１参照）。
【先行技術文献】
【特許文献】
【０００７】
【特許文献１】特開２００７−３２２７９２号公報
【発明の概要】
【発明が解決しようとする課題】
【０００８】
特許文献１記載の装置において、複数のＬＥＤから構成されたＬＥＤアレイを光源として用い、複数のＬＥＤのうちの一部を消灯させる場合にも、インテグレータ素子に対する点灯中のＬＥＤから出射された照明光の入射位置を調整することができるため、輝度ムラを低減することが可能となる。しかし、特許文献１記載の装置は、光源ユニット全体を移動させることで照明光の入射位置を調整する構造であるため、位置調整機構の大型化、複雑化とともに大きな駆動力も必要となり、投写型表示装置のコンパクト化に対して大きな障害があった。
【０００９】
そこで、本発明は、ＬＥＤアレイを構成する複数のＬＥＤのうちの一部を消灯させる場合でも、コンパクトな装置構成で、スクリーン上の映像の輝度ムラを低減することが可能な投写型表示装置を提供することを目的とする。
【課題を解決するための手段】
【００１０】
本発明に係る投写型表示装置は、ｍ個（ｍは２以上の整数）の２次元配置されたＬＥＤからなるＬＥＤアレイを予め定められた各色ごとに備えた光源を有し、前記ＬＥＤアレイから出射される各々の光束を１つの光路の照明光に合成する照明光学系と、各前記ＬＥＤアレイの位置を各々の２次元配置の取付け面の面内で調整する位置調整機構と、各前記ＬＥＤアレイの点灯と、前記位置調整機構とを制御する光源制御部と、前記照明光学系から出射される照明光の照度分布を均一化させるインテグレータ素子と、前記インテグレータ素子から出射される照明光を映像光に変調する画像表示素子とを備え、前記光源制御部は、各前記ＬＥＤアレイのｎ個（ｎ＜ｍの整数）のＬＥＤを選択して点灯させるように制御するときに、各前記ＬＥＤアレイの当該ｎ個のＬＥＤによって前記インテグレータ素子の入射面に形成される各々の光源像の形状が、前記インテグレータ素子の入射面中心で一致するように、各前記ＬＥＤアレイの位置を調整するよう前記位置調整機構を制御するものである。
【発明の効果】
【００１１】
本発明によれば、光源制御部は、各ＬＥＤアレイのｎ個のＬＥＤを選択して点灯させるように制御するときに、各ＬＥＤアレイの当該ｎ個のＬＥＤによってインテグレータ素子の入射面に形成される各々の光源像の形状が、インテグレータ素子の入射面中心で一致するように、各ＬＥＤアレイの位置を調整するよう位置調整機構を制御する。
【００１２】
したがって、インテグレータ素子の入射面に形成される各々の光源像の重なりを、インテグレータ素子の入射面の中心で一致させることができるため、インテグレータ素子の入射面における照明光の照度分布のバランスがよくなる。これにより、ＬＥＤアレイを構成するＬＥＤのうちの一部を消灯させる場合でも、スクリーン上に投影される映像の輝度ムラを低減することができる。
【００１３】
また、位置調整機構によりＬＥＤアレイの位置を調整するだけで、各々の光源像の重なりを一致させることができるため、位置調整機構のコンパクト化、ひいては投写型表示装置のコンパクト化が可能となる。
【図面の簡単な説明】
【００１４】
【図１】実施の形態１に係る投写型表示装置の構成図である。
【図２】実施の形態１に係る投写型表示装置の位置調整機構の一例を示す斜視図である。
【図３】実施の形態１に係る投写型表示装置の位置調整機構の他の例を示す斜視図である。
【図４】実施の形態１に係る投写型表示装置の照明光学系の構成図である。
【図５】実施の形態１に係る投写型表示装置のインテグレータ素子の入射面に形成される光源像（ＬＥＤアレイの位置調整前）の一例を示す斜視図である。
【図６】実施の形態１に係る投写型表示装置のインテグレータ素子の入射面に形成される光源像（ＬＥＤアレイの位置調整後）の一例を示す斜視図である。
【図７】実施の形態２に係る投写型表示装置の照明光学系の構成図である。
【図８】実施の形態２に係る投写型表示装置のインテグレータ素子の入射面に形成される光源像（ＬＥＤアレイの位置調整前）の一例を示す斜視図である。
【図９】実施の形態２に係る投写型表示装置のインテグレータ素子の入射面に形成される光源像（ＬＥＤアレイの位置調整後）の一例を示す斜視図である。
【発明を実施するための形態】
【００１５】
＜実施の形態１＞
本発明の実施の形態１について、図面を用いて以下に説明する。図１は、本発明の実施の形態１に係る投写型表示装置１の構成図である。投写型表示装置１は大別すると、光源を有する照明光学系２と、光源制御部３０と、照明光学系２から出射される照明光を映像情報に置き換えてスクリーン（図示省略）に投影する投写光学系３から構成されている。
【００１６】
照明光学系２は、光源である赤色ＬＥＤアレイ４０Ｒ、緑色ＬＥＤアレイ４０Ｇ、青色ＬＥＤアレイ４０Ｂと、位置調整機構９０Ｒ，９０Ｇ，９０Ｂと、コリメーターレンズ群７Ｒ，７Ｇ，７Ｂと、ダイクロイックミラー８Ｒ，８Ｇ，８Ｂと、コンデンサーレンズ群９と、ＬＥＤ駆動回路３１Ｒ，３１Ｇ，３１Ｂと、駆動回路３２Ｒ，３２Ｇ，３２Ｂとを備えている。
【００１７】
ＬＥＤアレイ４０Ｒ，４０Ｇ，４０Ｂは、例えばそれぞれ６個（より一般的にはｍ個：ｍは２以上の整数）の２次元配置されたＬＥＤから構成されている。ＬＥＤ駆動回路３１Ｒ，３１Ｇ，３１Ｂは、光源制御部３０の制御によりＬＥＤアレイ４０Ｒ，４０Ｇ，４０Ｂを駆動する。
【００１８】
位置調整機構９０Ｒ，９０Ｇ，９０Ｂは、ＬＥＤアレイ４０Ｒ，４０Ｇ，４０Ｂの位置を各々の２次元配置の取付け面の面内で調整する。駆動回路３２Ｒ，３２Ｇ，３２Ｂは、光源制御部３０の制御により位置調整機構９０Ｒ，９０Ｇ，９０Ｂを駆動する。なお、位置調整機構９０Ｒ，９０Ｇ，９０Ｂの詳細については後述することとする。
【００１９】
コリメーターレンズ群７Ｒ，７Ｇ，７Ｂは、ＬＥＤアレイ４０Ｒ，４０Ｇ，４０Ｂから時系列的に発光される赤色、緑色、青色の３原色の照明光を略平行に整形する。ダイクロイックミラー８Ｒ，８Ｇ，８Ｂは、略平行光に整形された各照明光（各々の光束）を選択して反射または透過させることで１つの光路に合成する。コンデンサーレンズ群９は、１つの光路に合成された各照明光を集光し投写光学系３へ出射する。
【００２０】
光源制御部３０は、ＬＥＤ駆動回路３１Ｒ，３１Ｇ，３１Ｂを制御することで、各ＬＥＤアレイ４０Ｒ，４０Ｇ，４０Ｂの点灯を制御する。また、光源制御部３０は、ＬＥＤアレイ４０Ｒ，４０Ｇ，４０Ｂを構成するＬＥＤの故障を検出する故障検出機能を有する。例えば、光源制御部３０は、ＬＥＤアレイ４０Ｒ，４０Ｇ，４０Ｂを構成するＬＥＤの電圧を検出し、検出された電圧に基づいてＬＥＤの故障を検出する。
【００２１】
さらに、光源制御部３０は、駆動回路３２Ｒ，３２Ｇ，３２Ｂを制御することで、各位置調整機構９０Ｒ，９０Ｇ，９０Ｂを駆動制御し、ＬＥＤアレイ４０Ｒ，４０Ｇ，４０Ｂを各々の２次元配置の取付け面の面内で平行移動させる。
【００２２】
投写光学系３は、インテグレータ素子１０と、リレーレンズ群１１と、内部に全反射面を有するＴＩＲ（Ｔｏｔａｌ  Ｉｎｔｅｒｎａｌ  Ｒｅｆｌｅｃｔｉｏｎ）プリズム１２と、ＤＭＤ１３（画像表示素子）と、投写レンズ２０とを備えている。
【００２３】
インテグレータ素子１０は、例えばライトトンネルまたはガラスロッドであり、コンデンサーレンズ群９から出射される照明光の照度分布を均一化させてリレーレンズ群１１へ出射する。リレーレンズ群１１は、レンズおよび反射ミラーから構成され、インテグレータ素子１０から出射される赤色、緑色、青色の合成光についてＴＩＲプリズム１２を介してＤＭＤ１３へ伝播させる。
【００２４】
ＤＭＤ１３は、インテグレータ素子１０からリレーレンズ群１１とＴＩＲプリズム１２を介して出射される照明光を映像光に変調し投写レンズ２０へ出射する。投写レンズ２０は、ＤＭＤ１３から出射される映像光をスクリーンに向けて投影する。
【００２５】
さらに、光源制御部３０によるＬＥＤアレイ４０Ｒ，４０Ｇ，４０Ｂの点灯制御について、図１を用いて説明する。ＬＥＤ駆動回路３１Ｒ，３１Ｇ，３１Ｂは、各ＬＥＤアレイ４０Ｒ，４０Ｇ，４０Ｂにおいて複数のＬＥＤのグループごとに駆動可能に構成されている。例えば、ＬＥＤ駆動回路３１Ｒ，３１Ｇ，３１Ｂは、各ＬＥＤアレイ４０Ｒ，４０Ｇ，４０Ｂを構成する６個のＬＥＤのうちの縦３個のＬＥＤを１グループとして駆動できるように構成されている。このため、光源制御部３０は、ＬＥＤ駆動回路３１Ｒ，３１Ｇ，３１Ｂを介して１グループごと、つまり、縦３個ごとにＬＥＤを選択して点灯・消灯の制御が可能である。ここで、各ＬＥＤアレイ４０Ｒ，４０Ｇ，４０Ｂにおける縦方向とは、図２に示すｙ軸方向である。
【００２６】
これにより、光源制御部３０は、同時に点灯させるＬＥＤの個数を制御することで、スクリーン上に投影される映像の輝度を制御することができる。なお、図１ではＬＥＤ駆動回路３１Ｒ，３１Ｇ，３１Ｂはそれぞれ１つずつ示されているが、６個のＬＥＤのうちの縦３個のＬＥＤを１グループとして、ＬＥＤアレイ１個あたり２グループのＬＥＤを駆動させるために、ＬＥＤ駆動回路３１Ｒ，３１Ｇ，３１Ｂは各ＬＥＤアレイ４０Ｒ、４０Ｇ、４０Ｂあたりそれぞれ２つずつ設けられているものとして説明する。
【００２７】
また、光源制御部３０は、６個のうちの縦３個の一方のグループのＬＥＤを選択して点灯させるとともに他のグループのＬＥＤを消灯させ、点灯中のＬＥＤの一部に故障が生じた場合には一方のグループのＬＥＤを消灯し、それまで消灯していた（故障していない）他のグループの縦３個のＬＥＤを選択して点灯させる。これにより、スクリーン上に投影される映像の輝度を低下させることなく、連続的に投写型表示装置１を作動させることができる。
【００２８】
さらに、点灯中のＬＥＤに故障が生じなかったとしても、光源制御部３０が点灯もしくは消灯させるＬＥＤをグループごとに切替えることでＬＥＤ１個あたりの点灯時間を減らし、ＬＥＤアレイの寿命を延ばすことも可能となる。
【００２９】
次に、投写型表示装置１の動作の詳細について、図１を用いて説明する。赤色ＬＥＤアレイ４０Ｒより発光された赤色の発散光は、赤色用コリメーターレンズ群７Ｒにて平行光に整形され、赤色のみ反射しその他の色は透過する赤色用ダイクロイックミラー８Ｒにて反射され、平行光を集光するコンデンサーレンズ群９に入射される。
【００３０】
また、緑色ＬＥＤアレイ４０Ｇより発光された緑色の発散光は、緑色用コリメーターレンズ群７Ｇにて平行光に整形され、緑色のみ反射しその他の色は透過する緑色用ダイクロイックミラー８Ｇにて反射され、コンデンサーレンズ群９に入射される。
【００３１】
また、青色ＬＥＤアレイ４０Ｂより発光された青色の発散光は、青色用コリメーターレンズ群７Ｂにて平行光に整形され、青色のみ反射しその他の色は透過する青色用ダイクロイックミラー８Ｂにて反射され、コンデンサーレンズ群９に入射される。
【００３２】
コリメーターレンズ群７Ｒ，７Ｇ，７Ｂを出射した赤色、緑色、青色の照明光は、コンデンサーレンズ群９に入射されるまでいずれも略平行光であるため、その光路途中にあるダイクロイックミラー８Ｒ，８Ｇ，８Ｂによって赤色、緑色、青色の照明光が反射・透過される際には、ダイクロイックミラー８Ｒ，８Ｇ，８Ｂの入射角依存性による波長シフトの影響をほとんど受けることがない。
【００３３】
コンデンサーレンズ群９に入射された赤色、緑色、青色の照明光は、コンデンサーレンズ群９により集光され、ＬＥＤアレイ４０Ｒ，４０Ｇ，４０Ｂの各光源像４１Ｒ，４１Ｇ，４１Ｂ（図５参照）がインテグレータ素子１０の入射面に略保った状態で結像される。
【００３４】
インテグレータ素子１０の入射面に集光された赤色、緑色、青色の各照明光は、インテグレータ素子１０を通過する際にその内部で反射を繰返し、インテグレータ素子１０の出射面では照度分布が略均一となる。インテグレータ素子１０から出射された赤色、緑色、青色の合成光は、リレーレンズ群１１を伝播し、ＴＩＲプリズム１２内部の全反射面で折り曲げられ、インテグレータ素子１０の出射面の略均一な照度分布を保った状態でＤＭＤ１３上に結像される。
【００３５】
ＤＭＤ１３は、マイクロミラーを有し、入力信号に応じてマイクロミラーの傾きが変わり、赤色、緑色、青色の合成光を時分割で赤、緑、青色光の色ごとに映像光に変調する。映像光は、ＴＩＲプリズム１２を透過した後に投写レンズ２０に入射され、スクリーン上に拡大投影されてカラー映像が形成される。
【００３６】
次に、位置調整機構９０ＲによるＬＥＤアレイ４０Ｒの位置調整の詳細について、図２と図３を用いて説明する。図２は、位置調整機構の一例である位置調整機構９０Ｒを示す斜視図であり、図３は、位置調整機構の他の例である位置調整機構９１Ｒを示す斜視図である。位置調整機構９０Ｒは、ステッピングモータ１０１と、ギヤ１０２，１０３と、ベース１０４とを備えている。
【００３７】
ステッピングモータ１０１は、一定の間隔で瞬間的に電流量を変動させるパルス状の入力電流によって駆動するモータであり、パルス電流が入力されるたびに、所定の角度ずつモータが回転するように制御されている。
【００３８】
ギヤ１０２は、ステッピングモータ１０１の回転軸に取り付けられている。ギヤ１０３は、ギヤ１０２と噛み合った状態で配置されている。ベース１０４には、ＬＥＤアレイ４０Ｒが取り付けられている。ベース１０４は、ギヤ１０３と噛み合うギヤ１０４ａを有している。ステッピングモータ１０１の駆動により、ギヤ１０２が回転し、さらにギヤ１０３を介してベース１０４のギヤ１０４ａに動力が伝わることで、ベース１０４はＬＥＤアレイ４０Ｒとともに第１の方向（ｘ軸方向）に移動する。
【００３９】
各ギヤ１０２，１０３，１０４ａは、ステッピングモータ１０１の回転角に合わせて、ＬＥＤアレイ４０Ｒが取り付けられたベース１０４の移動量および駆動力を計算した上で、各々のギヤ形状が決められている。パルス電流を制御することによって、ＬＥＤアレイ４０Ｒが取り付けられたベース１０４はｘ軸方向に任意の量だけ平行移動することができる。ステッピングモータ１０１を駆動させるためのパルス電流は、駆動回路３２Ｒを介して光源制御部３０によって制御されている。
【００４０】
ここで、ＬＥＤアレイ４０Ｒの横寸法をＷ、縦寸法をＨとする。例えば、光源制御部３０が、ＬＥＤアレイ４０Ｒを構成する６個のＬＥＤ５０ａ〜５０ｆのうちの縦３個のＬＥＤ５０ａ〜５０ｃを一方のグループとして選択して点灯させ、ＬＥＤ５０ｄ〜５０ｆを他のグループとして消灯させている状態を考える。
【００４１】
この状態において、次に、光源制御部３０が点灯・消灯させるＬＥＤを２つのグループで切替えてＬＥＤ５０ａ〜５０ｃを消灯させ、ＬＥＤ５０ｄ〜５０ｆを選択して点灯させた場合、光源制御部３０がベース１０４をｘ軸の負の方向にＷ／２の距離だけ移動させることにより、最初に点灯していたＬＥＤ５０ａ〜５０ｃと同じ位置で、ＬＥＤ５０ｄ〜５０ｆを点灯させることが可能となる。
【００４２】
なお、図２では、ベース１０４を第１の方向にのみ移動可能な位置調整機構９０Ｒについて説明したが、ベース１０４を第１の方向と直交する方向にも移動可能とすることでＬＥＤアレイ４０Ｒの移動方向を増やし、ＬＥＤアレイ４０Ｒを２次元配置の取付け面の面内で自在に移動できるようにした位置調整機構も考えられる。
【００４３】
例えば、図３に示すように、位置調整機構９１Ｒは、第１の方向であるｘ軸方向に加えて、ｘ軸と直交する第２の方向であるｙ軸方向にも移動可能な位置調整機構であり、図２に示した位置調整機構９０Ｒに対して、ステッピングモータ２０１、ギヤ２０２、ギヤ２０３、ベース２０４を追加した構成である。
【００４４】
ステッピングモータ２０１は、一定の間隔で瞬間的に電流量を変動させるパルス状の入力電流によって駆動するモータであり、パルス電流が入力されるたびに、所定の角度ずつモータが回転するように制御されている。
【００４５】
ギヤ２０２は、ステッピングモータ２０１の回転軸に取り付けられている。ギヤ２０３は、ギヤ２０２と噛み合った状態で配置されている。ベース２０４には、図２に示す位置調整機構９０Ｒに相当する部材が取り付けられている。ベース２０４は、ギヤ２０３と噛み合うギヤ２０４ａを有している。ステッピングモータ２０１の駆動により、ギヤ２０２が回転し、さらにギヤ２０３を介してベース２０４のギヤ２０４ａに動力が伝わることで、ベース２０４はＬＥＤアレイ４０Ｒ（より具体的には位置調整機構９０Ｒに相当する部材）とともに第２の方向（ｙ軸方向）に移動する。
【００４６】
これにより、ＬＥＤアレイ４０Ｒはベース２０４を介してｙ軸方向に任意の量だけ移動することができる。なお、各ステッピングモータ１０１，２０１を個々に駆動させるために、駆動回路３２Ｒもステッピングモータ１０１，２０１ごとに１つずつ設けられている。
【００４７】
また、図２と図３では、ＬＥＤアレイ４０Ｒを位置調整するための位置調整機構９０Ｒ，９１Ｒの構成について説明したが、ＬＥＤアレイ４０Ｇ，４０Ｂをｘ軸方向にそれぞれ位置調整するための位置調整機構９０Ｇ，９０Ｂの構成についても図２の場合と同様であり、ＬＥＤアレイ４０Ｇ，４０Ｂをｘ軸方向とｙ軸方向にそれぞれ位置調整するための位置調整機構の構成についても図３の場合と同様である。
【００４８】
なお、ＬＥＤアレイ４０Ｒを直交する２軸の方向に移動させる機構としては、上記において説明した構成以外にもサーボ機構、電磁機構などを用いて容易に実現することができる。
【００４９】
次に、インテグレータ素子１０の入射面に形成される光源像４１Ｒ，４１Ｇ，４１Ｂについて説明する。図４は、照明光学系２の構成図であり、図５と図６は、インテグレータ素子１０の入射面に形成される光源像４１Ｒ，４１Ｇ，４１Ｂの一例を示す斜視図である。なお、図５における光源像４１Ｒ，４１Ｇ，４１Ｂは、ＬＥＤアレイ４０Ｒ，４０Ｇ，４０Ｂの位置調整前のものであり、図６における光源像４１Ｒ，４１Ｇ，４１Ｂは、ＬＥＤアレイ４０Ｒ，４０Ｇ，４０Ｂの位置調整後のものである。
【００５０】
インテグレータ素子１０の出射面における光源像４１Ｒ，４１Ｇ，４１Ｂがその照度分布を保ったままＤＭＤ１３上に結像されるため、ＤＭＤ１３のマイクロミラーの有効領域の矩形形状に合わせ、インテグレータ素子１０の出射面、ひいてはインテグレータ素子１０の入射面の形状もＤＭＤ１３と同じアスペクト比を持った矩形形状にして、効率良くＤＭＤ１３に照射するようにしている。
【００５１】
また、同じく矩形のＬＥＤアレイ４０Ｒ，４０Ｇ，４０Ｂを構成する各々６個のＬＥＤを全て点灯させた際に発光される光線に対して、ロスが少なくなるようにインテグレータ素子１０の入射面に取り込むために、ＬＥＤアレイ４０Ｒ，４０Ｇ，４０Ｂの光源像４１Ｒ，４１Ｇ，４１Ｂとインテグレータ素子１０の入射面の形状を１：１の比率の大きさとすることが望ましい。
【００５２】
ここで、光源像４１Ｒ（６０ａ〜６０ｆ）はＬＥＤアレイ４０Ｒ（ＬＥＤ５０ａ〜５０ｆ）により形成される光源像であり、光源像４１Ｇ（６１ａ〜６１ｆ）はＬＥＤアレイ４０Ｇ（ＬＥＤ５１ａ〜５１ｆ）により形成される光源像であり、光源像４１Ｂ（６２ａ〜６２ｆ）はＬＥＤアレイ４０Ｂ（ＬＥＤ５２ａ〜５２ｆ）により形成される光源像である。
【００５３】
各光源像４１Ｒ（６０ａ〜６０ｆ）、光源像４１Ｇ（６１ａ〜６１ｆ）、光源像４１Ｂ（６２ａ〜６２ｆ）と、各々対応するＬＥＤアレイ４０Ｒ（ＬＥＤ５０ａ〜５０ｆ）、ＬＥＤアレイ４０Ｇ（ＬＥＤ５１ａ〜５１ｆ）、ＬＥＤアレイ４０Ｂ（ＬＥＤ５２ａ〜５２ｆ）の相対位置を考えた場合、図５におけるＸ軸、Ｙ軸の方向は、図４におけるｘ軸、ｙ軸の方向とそれぞれ一致している。
【００５４】
光源制御部３０は、各ＬＥＤアレイ４０Ｒ，４０Ｇ，４０Ｂのうち、縦３個（より一般的にはｎ個）のＬＥＤのグループごとに各ＬＥＤアレイ４０Ｒ，４０Ｇ，４０Ｂの点灯を制御する。
【００５５】
具体的には、図４に示すように、光源制御部３０は、赤色ＬＥＤアレイ４０Ｒの６個のＬＥＤ５０ａ〜５０ｆのうち、縦３個のＬＥＤ５０ａ〜５０ｃを点灯させるとともに、残りの縦３個のＬＥＤ５０ｄ〜５０ｆを消灯させる。赤色ＬＥＤアレイ４０ＲのＬＥＤ５０ａ〜５０ｃによりインテグレータ素子１０の入射面に結像される光源像４１Ｒ（６０ａ〜６０ｃ）の形状は図５に示すとおりである。なお、消灯しているＬＥＤは斜線で示すものとする。
【００５６】
また、光源制御部３０は、緑色ＬＥＤアレイ４０Ｇの６個のＬＥＤ５１ａ〜５１ｆのうち、縦３個のＬＥＤ５１ａ〜５１ｃを点灯させるとともに、残りの縦３個のＬＥＤ５１ｄ〜５１ｆを消灯させる。さらに、光源制御部３０は、青色ＬＥＤアレイ４０Ｂの６個のＬＥＤ５２ａ〜５２ｆのうち、縦３個のＬＥＤ５２ａ〜５２ｃを点灯させるとともに、残りの縦３個のＬＥＤ５２ｄ〜５２ｆを消灯させる。
【００５７】
緑色ＬＥＤアレイ４０ＧのＬＥＤ５１ａ〜５１ｃによりインテグレータ素子１０の入射面に結像される光源像４１Ｇ（６１ａ〜６１ｃ）の形状と、青色ＬＥＤアレイ４０ＢのＬＥＤ５２ａ〜５２ｃによりインテグレータ素子１０の入射面に結像される光源像４１Ｂ（６２ａ〜６２ｃ）の形状は図５に示すとおりである。光源像４１Ｒ，４１Ｇ，４１Ｂの形状はそれぞれ一致するため、インテグレータ素子１０の入射面において、赤色、緑色、青色が合成される際の照明光（光源像）は同じ形状で重なり合う。
【００５８】
さらに、インテグレータ素子１０の内部で反射を繰返しながら通過していくことで、インテグレータ素子１０の出射面では照明光の色度ムラを低減することができる。これにより、スクリーン上に投影される映像の色度ムラを低減することが可能である。
【００５９】
しかし、図５に示すように、インテグレータ素子１０の入射面に対して、光線が当っている領域が片側（Ｘ軸の負の方向）に寄っているため、照明光の照度分布としては明暗の偏りが大きい。その結果、投写レンズ２０からスクリーン上に投影される映像の輝度ムラの偏りが大きくなる。インテグレータ素子１０により照明光の照度分布の明暗の偏りを十分に均一化させるためには、インテグレータ素子１０を光軸方向にさらに長くするしかないため、投写型表示装置のコンパクト化に対して大きな障害となる。
【００６０】
そこで、実施の形態１に係る投写型表示装置１では、光源制御部３０は、各ＬＥＤアレイ４０Ｒ，４０Ｇ，４０Ｂのうち、縦３個のＬＥＤのグループごとに各ＬＥＤアレイ４０Ｒ，４０Ｇ，４０Ｂの点灯を制御するとともに、光源制御部３０は、インテグレータ素子１０の入射面に形成される各々の光源像４１Ｒ，４１Ｇ，４１Ｂの形状が、インテグレータ素子１０の入射面の中心で一致するように、各ＬＥＤアレイ４０Ｒ、４０Ｇ、４０Ｂの位置を調整するよう位置調整機構９０Ｒ，９０Ｇ，９０Ｂを制御する。
【００６１】
具体的には、図４において、光源制御部３０は、上記のＬＥＤアレイ４０Ｒ，４０Ｇ，４０Ｂの点灯制御に加えて、位置調整機構９０Ｒ，９０Ｇ，９０Ｂを制御することで、ＬＥＤアレイ４０Ｒ，４０Ｇ，４０Ｂを各々の２次元配置の取付け面の面内でｘ軸の正の方向にＷ／４の距離だけ機械的に平行移動させる。
【００６２】
すると、図６に示すように、インテグレータ素子１０の入射面に形成される各々の光源像４１Ｒ，４１Ｇ，４１Ｂは、インテグレータ素子１０の入射面の中心で一致して重なり合う。すなわち、光源像４１Ｒ，４１Ｇ，４１Ｂの中心と、インテグレータ素子１０の入射面の中心とが一致するため、インテグレータ素子１０の入射面における各色の照明光の照度分布はバランスがよくなる。これにより、インテグレータ素子１０の出射面における照明光の照度分布は偏りの少ないものとなり、スクリーン上に投影される映像の輝度ムラを低減することができる。
【００６３】
また、光源制御部３０が、上記の状態から点灯・消灯させるＬＥＤを入れ替えた場合も上記の場合と同様の効果が得られる。すなわち、光源制御部３０は、ＬＥＤアレイ４０Ｒにおいて３個のＬＥＤ５０ｄ〜５０ｆを点灯させるとともに３個のＬＥＤ５０ａ〜５０ｃを消灯させ、ＬＥＤアレイ４０Ｇにおいて３個のＬＥＤ５１ｄ〜５１ｆを点灯させるとともに３個のＬＥＤ５１ａ〜５１ｃを消灯させ、ＬＥＤアレイ４０Ｂにおいて３個のＬＥＤ５２ｄ〜５２ｆを点灯させるとともに３個のＬＥＤ５２ａ〜５２ｃを消灯させる。
【００６４】
このときに、光源制御部３０は、位置調整機構９０Ｒ，９０Ｇ，９０Ｂを制御することで、ＬＥＤアレイ４０Ｒ，４０Ｇ，４０Ｂを各々の２次元配置の取付け面の面内でｘ軸の負の方向にＷ／２の距離だけ機械的に平行移動させても、上記の場合と同様の効果が得られる。
【００６５】
さらに、点灯・消灯させるＬＥＤは、ＬＥＤアレイ４０Ｒ，４０Ｇ，４０Ｂにおいて必ずしも同じ位置にあるＬＥＤである必要はない。例えば、光源制御部３０は、ＬＥＤアレイ４０Ｒにおいて３個のＬＥＤ５０ａ〜５０ｃを点灯させるとともに３個のＬＥＤ５０ｄ〜５０ｆを消灯させ、ＬＥＤアレイ４０Ｇにおいて３個のＬＥＤ５１ａ〜５１ｃを点灯させるとともに３個のＬＥＤ５１ｄ〜５１ｆを消灯させ、ＬＥＤアレイ４０Ｂにおいて３個のＬＥＤ５２ｄ〜５２ｆを点灯させるとともに３個のＬＥＤ５２ａ〜５２ｃを消灯させる。
【００６６】
このときに、光源制御部３０は、各ＬＥＤアレイ４０Ｒ，４０Ｇ，４０Ｂの初期の取付け位置から、ＬＥＤアレイ４０Ｒ、４０Ｇを各々の２次元配置の取付け面の面内でｘ軸の正の方向にＷ／４の距離だけ機械的に平行移動させるよう各位置調整機構９０Ｒ，９０Ｇを制御する。さらに、光源制御部３０は、ＬＥＤアレイ４０Ｂをその取付け面の面内でｘ軸の負の方向にＷ／４の距離だけ機械的に平行移動させるよう位置調整機構９０Ｂを制御する。これにより、上記の場合と同様の効果が得られる。
【００６７】
一方、従来の装置では、ＬＥＤアレイだけでなく、光源ユニット全体を移動させることで照明光の入射位置を調整する構造であるため、位置調整機構の大型化、複雑化とともに大きな駆動力が必要となり、投写型表示装置のコンパクト化に対して大きな障害があった。これに対して、本実施の形態１に係る投写型表示装置１では、上記のように軽量のＬＥＤアレイの位置のみを調整する構造であるため、このような問題は発生しない。
【００６８】
なお、ＬＥＤアレイ４０Ｒ，４０Ｇ，４０Ｂの６個のＬＥＤにおいて、縦３個のＬＥＤを１つのグループとし、ＬＥＤアレイの２つのグループのＬＥＤのうち、一方のグループのＬＥＤを点灯させ、他方のグループのＬＥＤを消灯させた場合について例示した。しかし、インテグレータ素子１０の入射面において、その入射面の中心で赤色、緑色、青色が合成させる際の照明光を同じ形で重なり合うようにすればその効果は上記の場合と同じである。
【００６９】
このため、ＬＥＤアレイ４０Ｒ、４０Ｇ、４０Ｂの６個のＬＥＤにおいて、横２個のＬＥＤを１つのグループとし、ＬＥＤアレイの３つのグループのＬＥＤのうち、１つのグループのＬＥＤを点灯させ、残る２つのグループのＬＥＤを消灯させて、インテグレータ素子１０の入射面において、その入射面の中心で赤色、緑色、青色が合成させる際の照明光を同じ形で重なり合うようにしてもよい。ここで、各ＬＥＤアレイ４０Ｒ，４０Ｇ，４０Ｂにおける横方向とは、図２に示すｘ軸方向である。
【００７０】
例えば、光源制御部３０は、ＬＥＤアレイ４０Ｒにおいて２個のＬＥＤ５０ａ，５０ｆを点灯させるとともに４個のＬＥＤ５０ｂ〜５０ｅを消灯させ、ＬＥＤアレイ４０Ｇにおいて２個のＬＥＤ５１ａ、５１ｆを点灯させるとともに４個のＬＥＤ５１ｂ〜５１ｅを消灯させ、ＬＥＤアレイ４０Ｂにおいて２個のＬＥＤ５２ａ、５２ｆを点灯させるとともに４個のＬＥＤ５２ｂ〜５２ｅを消灯させる。
【００７１】
このときに、光源制御部３０は、ＬＥＤアレイ４０Ｒ，４０Ｇ，４０Ｂを各々の２次元配置の取付け面の面内でｙ軸の正の方向にＨ／３の距離だけ機械的に平行移動させるよう、位置調整機構９０Ｒ，９０Ｇ，９０Ｂを制御する。これにより、上記の場合と同様の効果が得られる。この場合、ＬＥＤ駆動回路３１Ｒ，３１Ｇ，３１Ｂは、ＬＥＤ６個を横２個ずつ３つのグループに分けて駆動させるために、それぞれ３つずつ設けられていることになる。
【００７２】
なお、ＬＥＤアレイ４０Ｒ，４０Ｇ，４０Ｂにおいて６個のＬＥＤを全て点灯させる場合に、最もロスが少なく、かつ、輝度ムラも小さくなるように、ＬＥＤアレイ４０Ｒ，４０Ｇ，４０Ｂの光源像４１Ｒ，４１Ｇ，４１Ｂとインテグレータ素子１０の入射面の形状を１：１の比率の大きさとしているが、必ずしもこれに限定されない。
【００７３】
例えば、ＬＥＤアレイ４０Ｒ，４０Ｇ，４０Ｂにおいて６個のＬＥＤのうち、３個のＬＥＤを同時に点灯させる場合、ＬＥＤ３個分の光源像４１Ｒ，４１Ｇ，４１Ｂの大きさに合わせてインテグレータ素子１０の入射面の形状を設定するとともに、インテグレータ素子１０以降の投写光学系３を最適化することも可能である。
【００７４】
また、図１と図４において、ＬＥＤアレイ４０Ｒ，４０Ｇ，４０Ｂとダイクロイックミラー８Ｒ，８Ｇ，８Ｂの並び順序を、コンデンサーレンズ群９に近い方から順に赤色用、緑色用、青色用としているが、コンデンサーレンズ群９に赤色、緑色、青色の各照明光が入射されればその効果に変わりはないので、並び順序は必ずしも赤色用、緑色用、青色用となる配置に限定されない。例えば、赤色、青色、緑色という並び順序でＬＥＤアレイ４０Ｒ，４０Ｂ，４０Ｇとダイクロイックミラー８Ｒ，８Ｂ，８Ｇが配置されてもよい。
【００７５】
以上のように、実施の形態１に係る投写型表示装置１では、光源制御部３０は、各ＬＥＤアレイ４０Ｒ，４０Ｇ，４０Ｂの３個のＬＥＤを選択して点灯させるように制御するとともに、各ＬＥＤアレイ４０Ｒ，４０Ｇ，４０Ｂの３個のＬＥＤによってインテグレータ素子１０の入射面に形成される各々の光源像４１Ｒ，４１Ｇ，４１Ｂの形状が、インテグレータ素子１０の入射面の中心で一致するように、各ＬＥＤアレイ４０Ｒ，４０Ｇ，４０Ｂの位置を調整するよう位置調整機構９０Ｒ，９０Ｇ，９０Ｂを制御する。
【００７６】
したがって、インテグレータ素子１０の入射面に形成される各々の光源像４１Ｒ，４１Ｇ，４１Ｂの重なりを、インテグレータ素子１０の入射面の中心で一致させることができるため、インテグレータ素子１０の入射面における照明光の照度分布のバランスがよくなる。これにより、ＬＥＤアレイ４０Ｒ，４０Ｇ，４０Ｂを構成するＬＥＤのうちの一部を消灯させる場合でも、スクリーン上に投影される映像の輝度ムラを低減することができる。
【００７７】
また、位置調整機構９０Ｒ，９０Ｇ，９０ＢによりＬＥＤアレイ４０Ｒ，４０Ｇ，４０Ｂの位置を調整するだけで、各々の光源像４１Ｒ，４１Ｇ，４１Ｂの重なりを一致させることができるため、位置調整機構９０Ｒ，９０Ｇ，９０Ｂのコンパクト化、ひいては投写型表示装置１のコンパクト化が可能となる。
【００７８】
さらに、光源としてＬＥＤアレイ４０Ｒ，４０Ｇ，４０Ｂのみが使用されるため、投写型表示装置１の小型化、低消費電力化および耐久性の向上を図ることができる。
【００７９】
また、光源制御部３０は、ＬＥＤの故障検出機能を有し、ＬＥＤの故障を検出した場合に、各ＬＥＤアレイ４０Ｒ，４０Ｇ，４０Ｂにおいて故障していない３個のＬＥＤを選択して点灯させるように制御するときに、各ＬＥＤアレイ４０Ｒ，４０Ｇ，４０Ｂの３個のＬＥＤによってインテグレータ素子１０の入射面に形成される各々の光源像４１Ｒ，４１Ｇ，４１Ｂの形状が、インテグレータ素子１０の入射面の中心で一致するように、各ＬＥＤアレイ４０Ｒ，４０Ｇ，４０Ｂの位置を調整するよう位置調整機構９０Ｒ，９０Ｇ，９０Ｂを制御する。
【００８０】
したがって、一部のＬＥＤが故障しても故障前後でスクリーン上に投影される映像の輝度ムラの偏りを低減させることができる。例えば、図４において、ＬＥＤアレイ４０Ｒにおける３個のＬＥＤ５０ａ〜５０ｃが点灯している状態でＬＥＤ５０ａが故障した場合、光源制御部３０のＬＥＤ故障検出機能によりＬＥＤ５０ａの故障を検出し、光源制御部３０は、ＬＥＤ５０ａ〜５０ｃを消灯させるとともにそれまで消灯していた（故障していない）ＬＥＤ５０ｄ〜５０ｆを点灯させる。このときに、光源制御部３０は、位置調整機構９０Ｒを制御することで、ＬＥＤアレイ４０Ｒの位置を調整する。
【００８１】
＜実施の形態２＞
次に、実施の形態２に係る投写型表示装置について説明する。図７は、実施の形態２に係る投写型表示装置の照明光学系２Ａの構成図であり、図８と図９は、インテグレータ素子１０の入射面に形成される光源像４１Ｒ，４１Ｇ，４１Ｂの一例を示す斜視図である。ここで、図８における光源像４１Ｒ，４１Ｇ，４１Ｂは、ＬＥＤアレイ４０Ｒ，４０Ｇ，４０Ｂの位置調整前のものであり、図９における光源像４１Ｒ，４１Ｇ，４１Ｂは、ＬＥＤアレイ４０Ｒ，４０Ｇ，４０Ｂの位置調整後のものである。なお、実施の形態２において、実施の形態１で説明したものと同様構成要素については同一符号を付して説明は省略する。
【００８２】
図７に示すように、実施の形態２においては、ＬＥＤアレイ４０Ｒ，４０Ｂが対向するように配置され、ＬＥＤアレイ４０Ｇとコンデンサーレンズ群９が対向するように配置される構成である。また、各ダイクロイックミラー８Ｒ，８Ｇ，８Ｂを横並びに配置する代わりに、赤色用ダイクロイックミラー８Ｒと青色用ダイクロイックミラー８Ｂがクロス状に配置され、緑色用ダイクロイックミラー８Ｇを必要としない構成である。
【００８３】
コリメーターレンズ群７Ｒ，７Ｇ，７Ｂを出射してからコンデンサーレンズ群９に入射するまでの赤色、緑色、青色の照明光はいずれも略平行光であるため、その光路途中にあるクロス状に配置されたダイクロイックミラー８Ｒ，８Ｂによって赤色、緑色、青色の照明光が反射・透過する際には、ダイクロイックミラー８Ｒ，８Ｂの入射角依存性による波長シフトの影響をほとんど受けることがない。
【００８４】
このような配置にしても、ＬＥＤアレイ４０Ｒ，４０Ｇ，４０Ｂを構成する各々６個のＬＥＤを全て点灯させた際の各光源像４１Ｒ，４１Ｇ，４１Ｂと、インテグレータ素子１０の入射面がほぼ１：１の比率となる大きさで各光源像４１Ｒ，４１Ｇ，４１Ｂを結像させることができる。
【００８５】
実施の形態２では、各ＬＥＤアレイ４０Ｒ，４０Ｇ，４０Ｂを構成するＬＥＤは、図７に示す位置に配置され、インテグレータ素子１０の入射面における光源像４１Ｒ（６０ａ〜６０ｆ），４１Ｇ（６１ａ〜６１ｆ），４１Ｂ（６２ａ〜６２ｆ）は図８に示す位置に形成される。ここで、ＬＥＤアレイ４０Ｇにより形成される光源像４１Ｇにおいて各ＬＥＤ５１ａ〜５１ｆの光源像６１ａ〜６１ｆは、図５に示す位置と異なる位置に形成される。
【００８６】
このため、各光源像４１Ｒ（６０ａ〜６０ｆ），４１Ｇ（６１ａ〜６１ｆ），４１Ｂ（６２ａ〜６２ｆ）と、各々対応するＬＥＤアレイ４０Ｒ（ＬＥＤ５０ａ〜５０ｆ），４０Ｇ（ＬＥＤ５１ａ〜５１ｆ），４０Ｂ（ＬＥＤ５２ａ〜５２ｆ）の相対位置を考えた場合、図８に示すＸ軸、Ｙ軸の方向は、図７に示すＬＥＤアレイ４０Ｒ，４０Ｂにおけるｘ軸、ｙ軸の方向とはそれぞれ一致している。また、ＬＥＤアレイ４０Ｇにおいてｙ軸の方向はＹ軸の方向と一致しているが、ｘ軸の方向はＸ軸に対して正負の方向が逆転している。
【００８７】
例えば、光源制御部３０は、ＬＥＤアレイ４０Ｒにおいて３個のＬＥＤ５０ａ〜５０ｃを点灯させるとともに３個のＬＥＤ５０ｄ〜５０ｆを消灯させ、ＬＥＤアレイ４０Ｇにおいて３個のＬＥＤ５１ａ〜５１ｃを点灯させるとともに３個のＬＥＤ５１ｄ〜５１ｆを消灯させ、ＬＥＤアレイ４０Ｂにおいて３個のＬＥＤ５２ａ〜５２ｃを点灯させるとともに３個のＬＥＤ５２ｄ〜５２ｆを消灯させる。
【００８８】
この結果、図８に示すように、各ＬＥＤアレイ４０Ｒ，４０Ｇ，４０Ｂのうち、点灯している３個のＬＥＤによりインテグレータ素子１０の入射面に形成される各色の光源像４１Ｒ，４１Ｇ，４１Ｂの形状はそれぞれ同一であるが、互いに一致して重なり合ってはいないため、インテグレータ素子１０の出射面では輝度ムラだけでなく色度ムラも大きくなる。
【００８９】
そこで、実施の形態２に係る投写型表示装置では、図７に示すように、光源制御部３０は、上記のＬＥＤアレイ４０Ｒ，４０Ｇ，４０Ｂの点灯制御に加えて、位置調整機構９０Ｒ，９０Ｇ，９０Ｂを制御することで、ＬＥＤアレイ４０Ｒ，４０Ｂを各々の２次元配置の取付け面の面内でｘ軸の正の方向にＷ／４の距離だけ機械的に平行移動させるとともに、ＬＥＤアレイ４０Ｇを２次元配置の取付け面の面内でｘ軸の負の方向にＷ／４の距離だけ機械的に平行移動させる。
【００９０】
すると、図９に示すように、各ＬＥＤアレイ４０Ｒ，４０Ｇ，４０Ｂのうち、点灯している３個のＬＥＤによりインテグレータ素子１０の入射面に形成される各色の光源像４１Ｒ，４１Ｇ，４１Ｂの形状が、インテグレータ素子１０の入射面の中心で一致しそれらが重なり合うため、インテグレータ素子１０の出射面では輝度ムラ・色度ムラを低減することができる。
【００９１】
なお、実施の形態２では、ＬＥＤアレイ４０Ｒ，４０Ｇ，４０Ｂの６個のＬＥＤにおいて、縦３個のＬＥＤを１つのグループとし、ＬＥＤアレイ４０Ｒ，４０Ｇ，４０Ｂの２つのグループのＬＥＤのうち、一方のグループのＬＥＤを点灯させるとともに他方のグループのＬＥＤを消灯させた場合について例示した。
【００９２】
しかし、インテグレータ素子１０の入射面において、その入射面の中心で赤色、緑色、青色が合成される際の照明光を同じ形状で重なり合うようにすればその効果は同じである。このため、ＬＥＤアレイ４０Ｒ，４０Ｇ，４０Ｂの６個のＬＥＤにおいて、横２個のＬＥＤを１つのグループとし、ＬＥＤアレイの３つのグループのＬＥＤのうち、１つのグループのＬＥＤを点灯させるとともに残る２つのグループのＬＥＤを消灯させることで、インテグレータ素子１０の入射面において、その入射面中心に赤色、緑色、青色が合成される際の照明光を同じ形状で重なり合うようにしてもよい。
【００９３】
例えば、光源制御部３０は、ＬＥＤアレイ４０Ｒにおいて２個のＬＥＤ５０ａ，５０ｆを点灯させるとともに４個のＬＥＤ５０ｂ〜５０ｅを消灯させ、ＬＥＤアレイ４０Ｇにおいて２個のＬＥＤ５１ａ，５１ｆを点灯させるとともに４個のＬＥＤ５１ｂ〜５１ｅを消灯させ、ＬＥＤアレイ４０Ｂにおいて２個のＬＥＤ５２ａ，５２ｆを点灯させるとともに４個のＬＥＤ５２ｂ〜５２ｅを消灯させる。このときに、光源制御部３０は、位置調整機構９０Ｒ，９０Ｇ，９０Ｂを制御することで、ＬＥＤアレイ４０Ｒ，４０Ｇ，４０Ｂを各々の２次元配置の取付け面の面内でｙ軸の正の方向にＨ／３の距離だけ機械的に平行移動させても、上記の場合と同様の効果が得られる。
【００９４】
また、図７において、ＬＥＤアレイ４０Ｒ，４０Ｇ，４０Ｂは、上方から視てコンデンサーレンズ群９に近い方から時計回りに順に赤色、緑色、青色の順に配置されているが、コンデンサーレンズ群９に赤色、緑色、青色の各照明光が入射されればその効果に変わりはないので、必ずしも赤色、緑色、青色という並び順序に限定されない。例えば、青色、緑色、赤色という並び順序でＬＥＤアレイ４０Ｂ，４０Ｇ，４０Ｒが配置され、それに適合するように青色用ダイクロイックミラー８Ｂと赤色用ダイクロイックミラー８Ｒがクロス状に配置されてもよい。
【００９５】
なお、本発明は、その発明の範囲内において、各実施の形態を自由に組み合わせたり、各実施の形態を適宜、変形、省略することが可能である。
【符号の説明】
【００９６】
１  投写型表示装置、２，２Ａ  照明光学系、１０  インテグレータ素子、１３  ＤＭＤ、３０  光源制御部、４０Ｒ，４０Ｇ，４０Ｂ  ＬＥＤアレイ、９０Ｒ，９０Ｇ，９０Ｂ，９１Ｒ  位置調整機構。
【図１】
2014071246.tif 000003
【図２】
2014071246.tif 000004
【図３】
2014071246.tif 000005
【図４】
2014071246.tif 000006
【図５】
2014071246.tif 000007
【図６】
2014071246.tif 000008
【図７】
2014071246.tif 000009
【図８】
2014071246.tif 000010
【図９】
2014071246.tif 000011